【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
磁化移動（ＭＴ）効果を介して実質中の血液量を定量化するための磁気共鳴（ＭＲ）法であって、
該実質で決定されたＭＴ効果、組織で決定されたＭＴ効果、および血液で決定されたＭＴ効果に基づき、該実質の血液量を定量化する工程、
を包含する、方法。
【請求項２】
請求項１に記載の方法であって、前記実質の血液量が微小血管血液量を示す、方法。
【請求項３】
請求項１に記載の方法であって、前記実質で決定されたＭＴ効果は、
オフレゾナンス高周波（ＲＦ）照射の存在下で、実質のＭＲシグナルを取得する工程；
オフレゾナンスＲＦ照射の非存在下で、実質のＭＲシグナルを取得する工程；および
該実質のＭＲシグナルに基づき、該実質のＭＴを決定する工程、
を包含する、方法によって決定されたものである、方法。
【請求項４】
請求項１に記載の方法であって、前記組織で決定されたＭＴ効果は、
血液無効化ＭＲパルスシーケンスを実施する工程；
オフレゾナンスＲＦ照射の存在下で、組織のＭＲシグナルを取得する工程；
オフレゾナンスＲＦ照射の非存在下で、組織のＭＲシグナルを取得する工程；および
該ＭＲ組織シグナルに基づき、該組織のＭＴを決定する工程、
を包含する、方法によって決定されたものである、方法。
【請求項５】
請求項４に記載の方法であって、前記血液無効化ＭＲパルスシーケンスを実施する工程が、以下：
１８０°反転高周波パルス、次いで特定の磁場強度における血液水の補正されたＴ１に基づき、血液ＭＲシグナルを無効化する反転回復時間を適用する工程；
取得の前の磁化の発生の間に、強い干渉性の流れに基づくディフェージンググラジエントおよび非干渉性の拡散に基づくディフェージンググラジエントのうちの１つを適用する工程；
目的のスライスに流れる前に、前記血液中の水のプロトンを励起してディフェージングする工程；および
血液のＭＲシグナルを無効化する工程、
のうちの少なくとも１つを包含する、方法。
【請求項６】
請求項５に記載の方法であって、前記血液のＭＲシグナルを無効化する工程が、血液の水シグナルを除去するための緩和剤を添加する工程を包含する、方法。
【請求項７】
請求項１に記載の方法であって、前記血液で決定されたＭＴは、
オフレゾナンスＲＦ照射の存在下で、血液のＭＲシグナルを取得する工程；
オフレゾナンスＲＦ照射の非存在下で、血液のＭＲシグナルを取得する工程；および
該血液ＭＲシグナルに基づき、該血液のＭＴを決定する工程、
を包含する、方法によって決定されたものである、方法。
【請求項８】
請求項７に記載の方法であって、前記血液ＭＲシグナルが、
インビボでの隔離された血液シグナル、および
生理学的状態下に維持された血液ファントム由来の血液シグナル、
のうちの１つである、方法。
【請求項９】
請求項１に記載の方法であって、
前記実質のＭＴＲおよび前記組織のＭＴＲに基づき、前記実質の血液量を定量化する工程、をさらに包含する、方法。
【請求項１０】
請求項９に記載の方法であって、前記実質の決定されたＭＴＲおよび前記組織の決定されたＭＴＲに基づき、実質の血液量を定量化する工程が、下式：
【数１】
2008501427.tif 000001
によって血液量を計算する工程を包含し、ここでＭＴＲ実質は、実質の磁化移動比であり、ＭＴＲ組織は、組織の磁化移動比であり、ＢＶは血液量であり、そしてＶ実質は、全実質水量である、方法。
【請求項１１】
請求項９に記載の方法であって、前記実質の血液量を定量化する工程が、前記実質のＭＴＲと前記組織のＭＴＲの差を決定する工程を包含する、方法。
【請求項１２】
請求項９に記載の方法であって、前記実質の決定されたＭＴＲは、
オフレゾナンスＲＦ照射の存在下で、実質のＭＲシグナルを取得する工程；
オフレゾナンスＲＦ照射の非存在下で、実質のＭＲシグナルを取得する工程；および
該オフレゾナンスＲＦ照射の存在下での実質のＭＲシグナルおよび該オフレゾナンスＲＦ照射の非存在下での実質のＭＲシグナルを使用して、実質のＭＴＲを算出する工程、
を包含する、方法によって決定されたものである、方法。
【請求項１３】
請求項９に記載の方法であって、前記組織の決定されたＭＴＲは、
オフレゾナンスＲＦ照射の存在下で、組織のＭＲシグナルを取得する工程；
オフレゾナンスＲＦ照射の非存在下で、組織のＭＲシグナルを取得する工程；および
該オフレゾナンスＲＦ照射の存在下での組織のＭＲシグナルおよび該オフレゾナンスＲＦ照射の非存在下での組織のＭＲシグナルを使用して、組織のＭＴＲを算出する工程、
を包含する、方法。
【請求項１４】
請求項１３に記載の方法であって、前記血液無効化ＭＲパルスシーケンスを実施する工程が、以下：
１８０°反転高周波パルス、次いで特定の磁場強度における血液水の補正されたＴ１に基づき、血液ＭＲシグナルを無効化する反転回復時間を適用する工程；
取得の前の磁化の発生の間に、強い干渉性の流れに基づくディフェージンググラジエントおよび非干渉性の拡散に基づくディフェージンググラジエントのうちの１つを適用する工程；
目的のスライスに流れる前に、前記血液中の水のプロトンを励起してディフェージングする工程；および
血液のＭＲシグナルを無効化する工程、
のうちの少なくとも１つを包含する、方法。
【請求項１５】
請求項１４に記載の方法であって、前記血液のＭＲシグナルを無効化する工程が、血液の水シグナルを除去するための緩和剤を添加する工程を包含する、方法。
【請求項１６】
請求項９に記載の方法であって、前記実質の決定されたＭＴＲおよび前記組織の決定されたＭＴＲが、等価なオフレゾナンス高周波照射周波数の関数として決定されたものである、方法。
【請求項１７】
請求項９に記載の方法であって、前記実質の決定された血液量は、前記実質のＭＴＲおよび前記組織のＭＴＲのうちの１つ以上を、高周波出力、オフセット、角度、長さ、およびパルス数のうちの少なくとも１つの関数として変化させる工程を包含する、方法。
【請求項１８】
請求項９に記載の方法であって、
前記実質の決定されたＭＴＲ、前記組織の決定されたＭＴＲ、および該血液の決定されたＭＴＲに基づき、前記実質の血液量を定量化する工程、
をさらに包含する、方法。
【請求項１９】
請求項１８に記載の方法であって、前記実質の決定されたＭＴＲ、前記組織の決定されたＭＴＲおよび前記血液の決定されたＭＴＲに基づき、実質の血液量を定量化する工程が、下式：
【数２】
2008501427.tif 000002
によって血液量を計算する工程を包含し、ここでＭＴＲ実質は、実質の磁化移動比であり、ＭＴＲ組織は、組織の磁化移動比であり、ＭＴＲ血液は、血液の磁化移動比であり、ＢＶは血液量であり、そしてＶ実質は、全実質水量である、方法。
【請求項２０】
請求項１８に記載の方法であって、前記血液の決定されたＭＴＲは
オフレゾナンスＲＦ照射の存在下で、実質のＭＲシグナルを取得する工程；
オフレゾナンスＲＦ照射の非存在下で、実質のＭＲシグナルを取得する工程；および
該オフレゾナンスＲＦ照射の存在下での血液のＭＲシグナルおよび該オフレゾナンスＲＦ照射の非存在下での血液のＭＲシグナルを使用して、血液のＭＴＲを算出する工程、
を包含する、方法により得られたものである、方法。
【請求項２１】
請求項１８に記載の方法であって、前記実質の決定されたＭＴＲ、前記組織の決定されたＭＴＲおよび前記血液の決定されたＭＴＲが、等価なオフレゾナンス高周波照射周波数の関数として決定されたものである、方法。
【請求項２２】
請求項１８に記載の方法であって、前記実質の決定された血液量は、前記実質のＭＴＲ、前記組織のＭＴＲおよび前記血液のＭＴＲのうちの１つ以上を、高周波出力、オフセット、角度、長さ、位相およびパルス数のうちの少なくとも１つの関数として変化させる工程を包含する、方法によって決定されたものである、方法。
【請求項２３】
請求項１に記載の方法を実施するＭＲＩシステムおよび分光法装置のうちの少なくとも１つ。
【請求項２４】
ＭＲＩシステムであって、
検査領域中において磁場（Ｂ０）を生成する磁石（１０）；
Ｂ０に磁場グラジエントを重ね合わせるグラジエントコイル（１４）；
ＲＦパルスを導入して、走査の間、ＭＴ効果をもたらすＲＦコイル（１６、１８）；
走査コントローラ（３６）であって、グラジエントコイル（１４）およびＲＦコイル（１６、１８）を制御して磁化移動（ＭＴ）画像化シーケンスを実施する、走査コントローラ（３６）；および
プロセシング構成要素（３２）であって、ＭＲシグナルを受信し、該ＭＲシグナルに基づき血液量を定量化し、該プロセシング構成要素は、
実質中のＭＴ効果を決定し；
組織中のＭＴ効果を決定し；
血液中のＭＴ効果を決定し；そして
該実質のＭＴ効果、該組織のＭＴ効果および該血液のＭＴ効果に基づき、該実質の血液量を定量化する、
ようにさらにプログラムされている、
プロセシング構成要素（３２）、
を備える、ＭＲＩシステム。
【請求項２５】
請求項２４に記載のＭＲＩシステムであって、前記プロセシング構成要素（３２）が、
実質中のＭＴＲを決定し；
組織中のＭＴＲを決定し；そして
該実質のＭＴＲおよび該組織のＭＴＲに基づき、前記実質の血液量を定量化する、
ようにプログラムされている、ＭＲＩシステム。
【請求項２６】
請求項２５に記載のＭＲＩシステムであって、前記プロセシング構成要素（３２）が、以下のアルゴリズム：
【数３】
2008501427.tif 000003
に基づいて血液量を定量化し、ここでＭＴＲ実質は、実質の磁化移動比であり、ＭＴＲ組織は、組織の磁化移動比であり、ＢＶは血液量であり、そしてＶ実質は、全実質水量である、ＭＲＩシステム。
【請求項２７】
請求項２５に記載のＭＲＩシステムであって、前記プロセシング構成要素（３２）が、
血液のＭＴＲを決定し；そして
前記実質のＭＴＲ、前記組織のＭＴＲおよび該血液のＭＴＲに基づき、前記実質の血液量を定量化する、
ようにさらにプログラムされている、ＭＲＩシステム。
【請求項２８】
請求項２７に記載のＭＲＩシステムであって、前記プロセシング構成要素（３２）が、以下のアルゴリズム：
【数４】
2008501427.tif 000004
に基づいて血液量を定量化し、ここでＭＴＲ実質は、実質の磁化移動比であり、ＭＴＲ組織は、組織の磁化移動比であり、ＭＴＲ血液は、血液の磁化移動比であり、ＢＶは血液量であり、そしてＶ実質は、全実質水量である、ＭＲＩシステム。
【請求項２９】
請求項２４に記載のＭＲＩシステムであって、前記プロセシング構成要素（３２）が、無視できるかまたは無視できない血液中のＭＴ効果に対する血液量を定量化する、ＭＲＩシステム。
【請求項３０】
請求項２４に記載のＭＲＩシステムであって、前記プロセシング構成要素（３２）が、画像化技術から得られるＭＲシグナルに基づいて前記血液量を定量化し、該画像化技術が、以下：スピンエコー、グラジエントエコーおよび／または刺激エコーのうちの１つ以上を含む、ＭＲＩシステム。
【請求項３１】
請求項１に記載の方法であって、
摂動なしにＭＴ効果を決定する工程；
摂動を加えてＭＴ効果を決定する工程；および
該摂動なしでのＭＴ効果と該摂動を加えたときのＭＴ効果との間の差を使用して、血液量変化の効果を計算する工程、
を包含する、方法。
【請求項３２】
請求項３１に記載の方法であって、以下：ＣＯ２呼吸、息こらえ、過剰換気、脳の活性化、吸入化学物質、および摂取された化学物質のうちの少なくとも１つを介して摂動を導入する工程をさらに包含する、方法。
【請求項３３】
請求項３１に記載の方法であって、前記実質のＭＴ効果を決定する工程が、
オフレゾナンス高周波（ＲＦ）照射の存在下で、実質のＭＲシグナルを取得する工程；
オフレゾナンスＲＦ照射の非存在下で、実質のＭＲシグナルを取得する工程；および
該実質のＭＲシグナルに基づいて、組織のＭＴＲを算出する工程、
を包含する、方法。
【請求項３４】
請求項３１に記載の方法を実施するＭＲＩシステムおよび分光法装置のうちの少なくとも１つ。
【請求項３５】
請求項２４に記載のＭＲＩシステムであって、前記ＭＲシグナルを受信するプロセシング構成要素（３２）は、該ＭＲシグナルに基づき血液量変化の効果を定量化する、ＭＲＩシステム。
【請求項３６】
請求項３５に記載のＭＲＩシステムであって、前記プロセシング構成要素（３２）は、生理学的摂動の間の実質における血液量効果を決定するようにさらにプログラムされている、システム。